(57)【特許請求の範囲】
【請求項１】
口頸部２を起立する容器体１と、
上記口頸部外面へ第１周壁１２下半を嵌合させると共に、第１周壁中間部に付設した内向きフランジ１３のフランジ孔１４周縁部から半筒状の流出ガイド１５を起立する注出口部材１１と、
該注出口部材に嵌合させた計量カップ２１とからなり、
該計量カップは、
上記第１周壁１２の上部内面へ、上下同径の第２周壁２３の下部で形成した第１嵌合筒部２４を嵌合させると共に、第２周壁２３上部を第１周壁上部内面への第２嵌合筒部２５として、それ等第１、第２嵌合筒部上端と下端とには第１周壁１２上端面への係合用外向きフランジ２６，  ２６を付設し、又第２周壁２３中間部から上内方へのテーパ状筒２７を介して小径筒部２８を起立するカップ主部材２２と、
上記小径筒部２８上部へ着脱自在に、かつ水密に嵌合させた口キャップ３１とで形成した
ことを特徴とする計量カップ付き容器。
【請求項２】
口頸部２を起立する容器体１と、
上記口頸部外面へ、第１周壁１２下半を嵌合させると共に、第１周壁１２中間部に付設した内向きフランジ１３のフランジ孔１４周縁部から半筒状の流出ガイド１５を起立する注出口部材１１と、
該注出口部材に嵌合させた計量カップ４１とからなり、
該計量カップは、
上記第１周壁１２の上部内面へ、第２周壁２３ａ  下部に付設した外向きフランジ２６を第１周壁上端面へ係合させて、該外向きフランジ２６下方周壁部分で形成した嵌合筒部２４ａ  を嵌合させ、又第２周壁中間部で形成した上部小径のテーパ状筒２７を介して第２周壁２３ａ  上部を、上記半筒状の流出ガイド１５へ嵌合可能な小径筒部２８に形成したカップ主部材４２と、
上記小径筒部２８の上端部へ、着脱自在に、かつ水密に螺合させた口キャップ３１とで形成した
ことを特徴とする計量カップ付き容器。
【請求項３】
口頸部２を起立する容器体１と、
上記口頸部外面へ、第１周壁１２下半を嵌合させると共に、第１周壁１２中間部に付設した内向きフランジ１３のフランジ孔１４周縁部から半筒状の流出ガイド１５を起立する注出口部材１１と、
該注出口部材に嵌合させた計量カップ４１とからなり、
該計量カップは、
上記第１周壁１２の上部内面へ、第２周壁２３ａ  下部に付設した外向きフランジ２６を第１周壁上端面へ係合させて、該外向きフランジ２６下方周壁部分で形成した嵌合筒部２４ａ  を嵌合させ、又第２周壁中間部で形成した上部小径のテーパ状筒２７を介して第２周壁２３ａ  上部を、上記半筒状の流出ガイド１５外面へ嵌合可能な内径を有する小径筒部２８に形成したカップ主部材４２と、
上記小径筒部２８の上端部へ、着脱自在に、かつ水密に嵌合させ、かつ上記カップ主部材４２から突設した弾性変形可能な紐状部４３先端に付設した口キャップ３１とで形成した
ことを特徴とする計量カップ付き容器。
【発明の詳細な説明】
【０００１】
【発明の属する技術分野】
本発明は容器体内収納の流動体、主として液体を計量できるよう設けた計量カップ付き容器に関する。
【０００２】
【従来の技術】
例えば実開平６‐３８５９号が示すように、容器体と、該容器体口頸部に周壁を嵌合させた注出口部材と、該部材に嵌合させた計量カップ本体とで形成し、
【０００３】
容器体内収納液取出しの際は、計量カップ本体を外して該カップ本体内へ上記収納液を入れ、使用できるよう設けている。
【０００４】
【発明が解決しようとする課題】
上記従来の計量カップは、頂壁外周から周壁を垂下して形成し、該周壁は上下同径としてその周壁外面に流動体計測用の目盛りを付設している。
【０００５】
ところでこのような目盛りによる計量カップの場合、該計量カップ内へ流動体を流入し、周壁に設けた目盛りの位置に、カップ内へ入れた流動体の液面等を一致させることで計量を行うが、一般に上記目盛りと計量のためにカップ内へ収納された流動体の液面等とを正確には一致させることが困難であり、多少の読み取り上の誤差が生ずることを避けることが出来ない。比較的大径の計量カップでは、上記目盛り読み取り上の誤差が僅かであっても流動体の量としては結果的には比較的大量の誤差を来たすこととなる。これに対して小径の計量カップでは上記計量誤差を少くすることが出来るものの、計量カップ全体の容量が少いために何回も計量を行わなければならない不便があった。
【０００６】
請求項１記載の計量カップ付き容器は、そのカップ上部の内径、つまり計量カップ倒立時における下部内径を小さくすることで、計量誤差を少くし、又上記カップ倒立時の上部内径はその下部よりも大として大量の計量を可能とすることで上記従来の欠点を除去すると共に、併せて上記計量カップをカップ主部材と該主部材の小径筒部上端へ嵌合させた口キャップとで形成して該口キャップを外せば上記カップ主部材を流動体収納容器体へ流動体を補充する際の漏斗としても使用できるよう設けたものである。
【０００７】
請求項２記載の計量カップ付き容器は、請求項１記載容器の計量カップを簡易化したものである。
【０００８】
請求項３記載の計量カップ付き容器は請求項２記載容器の計量カップの螺合式口キャップを、螺合しない口キャップに代え、又該口キャップを弾性変形可能な紐状部でカップ主部材に連結したものである。
【０００９】
【課題を解決するための手段】
第１の手段として、口頸部２を起立する容器体１と、
上記口頸部外面へ第１周壁１２下半を嵌合させると共に、第１周壁中間部に付設した内向きフランジ１３のフランジ孔１４周縁部から半筒状の流出ガイド１５を起立する注出口部材１１と、
該注出口部材に嵌合させた計量カップ２１とからなり、
【００１０】
該計量カップは、
上記第１周壁１２の上部内面へ、上下同径の第２周壁２３の下部で形成した第１嵌合筒部２４を嵌合させると共に、第２周壁２３上部を第１周壁上部内面への第２嵌合筒部２５として、それ等第１、第２嵌合筒部上端と下端とには第１周壁１２上端面への係合用外向きフランジ２６，  ２６を付設し、又第２周壁２３中間部から上内方へのテーパ状筒２７を介して小径筒部２８を起立するカップ主部材２２と、
上記小径筒部２８上部へ着脱自在に、かつ水密に嵌合させた口キャップ３１とで形成した。
【００１１】
第２の手段として、口頸部２を起立する容器体１と、
上記口頸部外面へ、第１周壁１２下半を嵌合させると共に、第１周壁１２中間部に付設した内向きフランジ１３のフランジ孔１４周縁部から半筒状の流出ガイド１５を起立する注出口部材１１と、
該注出口部材に嵌合させた計量カップ４１とからなり、
【００１２】
該計量カップは、
上記第１周壁１２の上部内面へ、第２周壁２３ａ  下部に付設した外向きフランジ２６を第１周壁上端面へ係合させて、該外向きフランジ２６下方周壁部分で形成した嵌合筒部２４ａ  を嵌合させ、又第２周壁中間部で形成した上部小径のテーパ状筒２７を介して第２周壁２３ａ  上部を、上記半筒状の流出ガイド１５へ嵌合可能な小径筒部２８に形成したカップ主部材４２と、
上記小径筒部２８の上端部へ、着脱自在に、かつ水密に螺合させた口キャップ３１とで形成した。
【００１３】
第３の手段として、口頸部２を起立する容器体１と、
上記口頸部外面へ、第１周壁１２下半を嵌合させると共に、第１周壁１２中間部に付設した内向きフランジ１３のフランジ孔１４周縁部から半筒状の流出ガイド１５を起立する注出口部材１１と、
該注出口部材に嵌合させた計量カップ４１とからなり、
【００１４】
該計量カップは、
上記第１周壁１２の上部内面へ、第２周壁２３ａ  下部に付設した外向きフランジ２６を第１周壁上端面へ係合させて、該外向きフランジ２６下方周壁部分で形成した嵌合筒部２４ａ  を嵌合させ、又第２周壁中間部で形成した上部小径のテーパ状筒２７を介して第２周壁２３ａ  上部を、上記半筒状の流出ガイド１５外面へ嵌合可能な内径を有する小径筒部２８に形成したカップ主部材４２と、
上記小径筒部２８の上端部へ、着脱自在に、かつ水密に嵌合させ、かつ上記カップ主部材４２から突設した弾性変形可能な紐状部４３先端に付設した口キャップ３１とで形成した。
【００１５】
【発明の実施の形態】
まず図１から図４が示す第１実施形態について説明すると、１は容器体で口頸部２を起立する。
【００１６】
上記容器体口頸部には注出口部材１１を嵌合させている。該部材は、第１周壁１２中間部に内向きフランジ１３を有し、該フランジのフランジ孔１４周縁部から半筒状の流出ガイド１５を上外方へ拡開して起立する。図示にあっては上記内向きフランジを、複数段部を介して次第に小径化して垂下するが、必しもこのように形成する必要はなく、通常のフランジでもよい。そのフランジ下方の第１周壁部分１２ａ  を容器体口頸部外面への螺合部とし、又フランジ上方第１周壁部分１２ｂ  を後述カップ主部材用螺合部としている。内向きフランジ１３下面からは容器体口頸部内面へ嵌合させてシール筒１６を垂下している。
【００１７】
上記注出口部材１１へは、カップ主部材と口キャップとで形成する計量カップ２１を嵌合させる。カップ主部材２２は上記第１周壁１２の上部内面へ、第２周壁２３の下部で形成した第１嵌合筒部２４を螺合させると共に、第２周壁２３の上部を第１周壁上部内面への第２嵌合筒部２５とし、それ等第１、第２嵌合筒部上端と下端とには第１周壁１２上端面への係合用外向きフランジ２６，  ２６を付設している。又第２周壁２３の中間部から上内方へのテーパ状筒２７を介して小径筒部２８を起立する。該小径筒部２８上端面は第２周壁２３上端面よりも多少低くし、後述口キャップ上面を第２周壁上端面と同一高さないしはやや低くすることが望ましい。小径筒部上端外面には第１係合突条２９を周設するか、又は図３が示すように小径筒部の上部外面に雄ねじ３０を設けておく。カップ主部材の内面ないし外面には計量用目盛りを設けるとよい。
【００１８】
上記小径筒部２８には口キャップ３１を嵌合させる。該口キャップは、頂板３２下面から小径筒部２８外面へ嵌合させた第３周壁３３を垂下し、又小径筒部２８内面へ嵌合させて内筒３４を垂下する。小径筒部２８上端に第１係合突条２９を周設した場合は第２係合突条３５を第３周壁３３内面へ付設し、小径筒部２８上方からの口キャップ３１押下げにより第２係合突条３５が第１係合突条２９を強制乗越えしてその下面へ係合するよう設ける。尚この場合は口キャップ３１抜取りの便宜のため頂板３２外周を外向きフランジ状に残してその内方から第３周壁３３を垂下する。小径筒部２８上部に雄ねじを設けた場合は図３のように第３周壁３３内面へ雌ねじ３６を付設する。
【００１９】
上記容器体１、注出口部材１１、カップ主部材２２、口キャップ３１は、それぞれ合成樹脂材で一体成形し、カップ主部材は透明ないし半透明とすることが望ましい。
【００２０】
上記カップ主部材２２と口キャップ３１とが形成する計量カップ２１使用の際は、
図１が示す不使用状態から計量カップ２１を外し、図２のように倒立させて容器体内流動体を計量カップ内へ流入して計量する。
【００２１】
計量カップ２１を漏斗として使用する場合は口キャップ３１を外したカップ主部材２２を図４のように倒立状態のまま、第２周壁２３上部を注出口部材１１の第１周壁１２上部へ嵌合させ、該状態で詰め替え用容器ないし袋内の流動体をカップ主部材２２を利用して容器体内へ移せばよい。
【００２２】
使用後は再び図１のように、第１周壁１２上部内へ第２周壁２３下部を嵌合させ、又口キャップ３１を小径筒部２８上部へ嵌合させて、計量カップ２１を注出口部材１１に嵌合させればよい。
【００２３】
図５から図７が示す第２実施形態は、既述第１実施形態における、カップ主部材２２の第２周壁２３上半部を取除いて中間部からテーパ状筒２７を起立し、第２周壁２３ａ  上部を小径筒部２８とした形状にカップ主部材４２を形成したもので、外向きフランジ２６下方の第２周壁２３ａ  下方部分を嵌合筒部２４ａ  とし、カップ主部材４２と口キャップ３１とで計量カップ４１としている。容器体１、および注出口部材１１は第１実施形態の場合と同一でよい。但し図示の場合は、第１実施形態において流出ガイド１５を上外方へやや拡開しているに対して第２実施形態の場合は、そのまま上方へ起立している。又小径筒部２８と口キャップ３１とは螺合させている。
【００２４】
該第２実施形態の場合も、計量カップ４１使用の際は図６のように注出口部材１１から外してかつ倒立させて使用すればよく、漏斗として使用する場合は図７のように口キャップ３１を外し、小径筒部２８を流出ガイド１５外面へ嵌合させて使用する。
【００２５】
図８から図１０が示す第３実施形態は、第２実施形態の小径筒部２８と口キャップ３１との螺合を第１、第２係合突条２９、３５による係合嵌合に代え、かつカップ主部材４２と口キャップ３１とを弾性変形可能な紐状部４３で一体に連結したものである。図示の場合、紐状部４３基端を外向きフランジ２６外面から突設したが第２周壁２３中間部から直接突設してもよい。
【００２６】
該第３実施形態における計量カップ４１の使用を図９で示し、又図１０で口キャップ３１を外してカップ主部材４２を漏斗として使用する場合を示している。
【００２７】
【発明の効果】
本発明は既述構成とするもので、請求項１記載の容器の場合は、その計量カップ２１をカップ主部材２２と口キャップ３１とで形成し、カップ主部材２２を、上下同径とした第２周壁２３の中間部から上内方へのテーパ状筒２７を介して小径筒部２８を起立して形成し、その小径筒部上部へ口キャップ３１を水密に嵌合させたから、小量計量の場合は上記小径筒部２８を利用して行うこととなり、従って目盛りないし小径筒部２８の位置と、該小径筒部内へ入れた流動体の液面等との位置合せで行う計量の誤差を少くしてほぼ正確に計量できると共に、大量計量の場合は第２周壁２３の下部、つまり計量カップ倒立時における上方で行うこととなるから、計量回数が多くなることもない。又第２周壁２３の下部と上部とを、容器体口頸部へ嵌合させた注出口部材第１周壁１２の上部へ嵌合できる第１嵌合筒部２４と第２嵌合筒部２５としたから、その第１嵌合筒部２４を上記第１周壁１２上部へ嵌合させることで、不使用時において、容器体と注出部材と計量カップとを常に一体的にセットしておくことが出来、又口キャップ３１を外し第２嵌合筒部２５を第１周壁上部へ嵌合させることで、カップ主部材２２を漏斗として使用して容器体１内へ流動体を補充することが出来る。
【００２８】
請求項２記載容器の場合は、カップ主部材４２の第２周壁２３上部を小径筒部２８としたことで、記載請求項１記載容器の場合と同様に、小量計量時の計量誤差を少くして、しかも大量計量も可能とすることが出来る効果を有し、又第２周壁２３中間部を上部小径のテーパ状筒部２７として第２周壁上部を、注出口部材１１が有する流出ガイド１５へ嵌合可能な小径筒部２８に形成したから、口キャップ３１を外し、小径筒部２８を流出ガイド１５に嵌合させることで、容器体内への流動体補充用漏斗として使用できる。
【００２９】
請求項３記載容器は、請求項２記載容器と同様の効果を有するほか、カップ主部材４２と口キャップ３１とを弾性変形可能な紐状部４３で連結したから、口キャップを紛失することがない。
【図面の簡単な説明】
【図１】本発明容器の縦断面図である。
【図２】図１容器の主要部材である計量カップを倒立状態で示す縦断面図である。
【図３】図２計量カップを変形例で示す、要部縦断面図である。
【図４】図１容器のカップ主部材を漏斗として使用している状態を示す縦断面図である。
【図５】別実施形態で示す、本発明容器の縦断面図である。
【図６】図５容器の計量カップを倒立状態で示す縦断面図である。
【図７】図５容器のカップ主部材を漏斗として使用している状態を示す縦断面図である。
【図８】更に別実施形態で示す、本発明容器の縦断面図である。
【図９】図８容器の計量カップを倒立状態で示す縦断面図である。
【図１０】図９の計量カップを漏斗として使用している状態を示す縦断面図である。
【符号の説明】
１１…注出口部材          ２１…計量カップ
２２…カップ主部材                ３１…口キャップ
４２…カップ主部材
【図１】
0003569388.tif 000002
【図２】
0003569388.tif 000003
【図３】
0003569388.tif 000004
【図４】
0003569388.tif 000005
【図５】
0003569388.tif 000006
【図６】
0003569388.tif 000007
【図７】
0003569388.tif 000008
【図８】
0003569388.tif 000009
【図９】
0003569388.tif 000010
【図１０】
0003569388.tif 000011